(57)【特許請求の範囲】
【請求項１】
複数のディジタル回線と端末側機器との間にそれぞれディジタル・サービス・ユニットが接続されて前記各ディジタル回線と前記端末側機器との間でＢチャネルデータを統一的なＤチャネル上の手順に従って送受信するディジタル回線接続システムにおいて、
前記複数のディジタル・サービス・ユニットのうちの１つをマスタユニット、その他のディジタル・サービス・ユニットをスレーブユニットとし、
前記マスタユニットには、前記Ｄチャネル上の手順に従って呼の制御を行うＴ点モジュールが接続され、
前記スレーブユニットには、前記マスタユニットにおける呼の制御に基づいて送受信状態を作り出すための擬似的な制御信号が導入され、
前記各ディジタル・サービス・ユニットは、受信データからＢチャネルデータのみを抽出すると共に、送信データとしてＢチャネルデータを付加するＢチャネルインタフェースを備え、Ｔ点モジュールを介さずにＢチャネルデータを直接入出力するものである
ことを特徴とするディジタル回線接続システム。
【請求項２】
前記各ディジタル・サービス・ユニットに対するＢチャネルデータの入出力タイミングを制御する同期信号を出力し、この同期信号によって入出力タイミングが制御されたＢチャネルデータを前記端末側機器に対しては時分割多重化データとして入出力するＢチャネル多重制御手段を更に備えたことを特徴とする請求項１記載のディジタル回線接続システム。
【発明の詳細な説明】
【０００１】
【発明の属する技術分野】
この発明は、ＩＳＤＮ公衆回線やディジタル専用線等の複数のディジタル回線を介して統一的な送受信手順によってＢチャネルデータを送受信するディジタル回線接続システムに関する。
【０００２】
【従来の技術】
ＩＳＤＮとして普及しつつあるＩＮＳネット６４では、１つの加入者線に対して２つのＢチャネル（２×６４ｋｂｐｓ）と１つのＤチャネル（１６ｋｂｐｓ）からなる２Ｂ＋Ｄ（１４４ｋｂｐｓ）の伝送チャネルが提供される。この種のディジタル回線に対して多くの情報チャネル数を確保しようとすると、複数の回線を利用することになる。このような用途としては、例えばＰＨＳの基地局、ＬＡＮのルータ等がある。例えばＰＨＳの基地局では、サービスエリア内の複数のＰＨＳ端末による通話やディジタル回線網に接続されたＰＨＳデータベースへのアクセスのために、通常２回線と接続され、トラフィックの多い地域では、更に３回線、４回線というように、複数の回線と接続される。
【０００３】
図７は、このような複数回線を使用する従来のディジタル回線接続システムの構成を示すブロック図である。
ディジタル回線１1，１2，…，１nの伝送路インタフェース規定点（Ｕ点）には、それぞれＯＳＩのレイヤ１における伝送路終端、回線終端及び給電制御機能等を有するＤＳＵ（ディジタル・サービス・ユニット）２1，２2，…，２nが接続される。ＤＳＵ２1〜２nの端末機器側、即ちＩＳＤＮユーザ・網インタフェース規定点（Ｔ点）には、それぞれＴ点モジュール３1，３2，…，３nが接続される。Ｔ点モジュール３1〜３nは、レイヤ１及びそれよりも高位のレイヤにおける処理機能を有するもので、端末制御装置やＩＳＤＮ端末の内部に内蔵されることもある。このＴ点モジュール３1〜３nは、２Ｂ＋Ｄの多重化データとＢチャネルデータ及びＤチャネルデータとの間の分離／多重化処理と、Ｄチャネル上の手順により、Ｂチャネルの接続又は切断（呼設定）、切替等の制御を行う。各Ｔ点モジュール３1〜３nからのＢチャネルの受信データは、Ｂチャネル多重制御回路４によって時分割多重化され端末側機器に供給される。また、端末側機器から送られてきたＢチャネル多重化データは、Ｂチャネル多重制御回路４によって２Ｂチャネルずつに分離され、各Ｔ点モジュール３1〜３n及びＤＳＵ２1〜２nを介してディジタル回線１1〜１nに送出される。
【０００４】
このシステムでは、端末側機器からの多重化された多チャネルデータを複数の回線の各Ｂチャネルを介して送信し、複数回線の各Ｂチャネルを介して受信された多チャネルデータを多重化して端末側機器に送信する機能を有するため、全ての回線が統一的な呼の制御によって接続又は切断される。従って、各Ｔ点モジュール３1〜３nは、基本的には同一のＤチャネル上の手順によって呼の制御を実行する。
【０００５】
【発明が解決しようとする課題】
しかしながら、上述した従来のディジタル回線接続システムでは、Ｂチャネルの接続・切断／切替等の制御のためだけにＴ点モジュールを各回線について１つずつ使用している。このため、システムの規模が大きくなり、コストが増大するという問題がある。
また、各Ｔ点モジュール３1〜３nとＢチャネル多重制御回路４との間のＢチャネルデータは、パラレルで伝送される場合には、Ｂチャネル多重制御回路４の多重化制御も複雑になるという問題もある。
【０００６】
この発明は、このような点に鑑みなされたもので、システム構成を簡略化してコスト低減を図ることができるディジタル回線接続システムを提供することを目的とする。
この発明は、また、端末側機器との間のＢチャネル多重化処理を簡単にすることができるディジタル回線接続システムを提供することを他の目的とする。
【０００７】
【課題を解決するための手段】
この発明に係るディジタル回線接続システムは、複数のディジタル回線と端末側機器との間にそれぞれＤＳＵが接続されて前記各ディジタル回線と前記端末側機器との間でＢチャネルデータを統一的なＤチャネル上の手順に従って送受信するディジタル回線接続システムにおいて、前記複数のＤＳＵのうちの１つをマスタユニット、その他のＤＳＵをスレーブユニットとし、前記マスタユニットには、前記Ｄチャネル上の手順に従って呼の制御を行うＴ点モジュールが接続され、前記スレーブユニットには、前記マスタユニットにおける呼の制御に基づいて送受信状態を作り出すための擬似的な制御信号が導入され、前記各ＤＳＵは、受信データからＢチャネルデータのみを抽出すると共に、送信データとしてＢチャネルデータを付加するＢチャネルインタフェースを備え、Ｔ点モジュールを介さずにＢチャネルデータを直接入出力するものであることを特徴とする。
【０００８】
この発明によれば、複数のＤＳＵのうちの１つをマスタユニット、その他のＤＳＵをスレーブユニットとし、マスタユニットにおける呼の制御に基づいて、スレーブユニットを擬似的に送受信状態にし、各ＤＳＵのＢチャネルインタフェースが受信データからＢチャネルデータのみを抽出し、送信データとしてＢチャネルデータを付加するようにしているので、スレーブユニットの分のＴ点モジュールが不要となり、システム構成を簡略化してコスト削減を図ることができる。
【０００９】
この発明に係るディジタル回線接続システムは、好ましくは、各ＤＳＵに対するＢチャネルデータの入出力タイミングを制御する同期信号を出力し、この同期信号によって入出力タイミングが制御されたＢチャネルデータを端末側機器に対しては時分割多重化データとして入出力するＢチャネル多重制御手段を更に備える。
【００１０】
このようなＢチャネル多重制御手段を備えれば、このＢチャネル多重制御手段と各ＤＳＵとの間は、同期信号によって入出力タイミングが制御されたＢチャネルデータが伝送されることになるので、全てのＤＳＵで配線を共有化することができると共に、Ｂチャネル多重化制御手段の構成も簡略化することができる。
【００１１】
【発明の実施の形態】
以下、図面を参照して、この発明の好ましい実施の形態について説明する。
図１は、この発明の一実施例に係るディジタル回線接続システムの構成を示すブロック図である。
ディジタル回線１１1，１１2，…，１１nの各Ｕ点には、それぞれＤＳＵ１２1，１２2，…，１２nが接続されている。このうち、ＤＳＵ１２1はマスタＤＳＵ、ＤＳＵ１２2〜１２nはスレーブＤＳＵとなるものである。マスタＤＳＵ１２1には、Ｔ点を介してＴ点モジュール１３が接続されている。また、このシステムでは、各ＤＳＵ１２1〜１２nと図示しない端末側機器との間でＢチャネルデータをやりとりするためのＢチャネル多重制御回路１４が設けられている。Ｂチャネル多重制御回路１４から各ＤＳＵ１２1〜１２nには、受信同期信号ＳＲ1，ＳＲ2，…，ＳＲnと送信同期信号ＳＴ1，ＳＴ2，…，ＳＴnとが供給されている。また、各スレーブＤＳＵ１２2〜１２nの擬似的なＴ点側には、Ｔ点側の状態を擬似的に作り出すための制御信号ＣＲ2〜ＣＲn，ＣＴ2〜ＣＴnが入出力されるようになっている。
【００１２】
図２は、一例として時分割方向制御（ＴＣＭ）方式のマスタＤＳＵ１２1の構成を示すブロック図である。
マスタＤＳＵ１２1は、伝送路終端部２１、回線終端部２２、Ｔ点送受信部２３及びＢチャネルインタフェース（Ｉ／Ｆ）２４により構成されている。
伝送路終端部２１は、１対のメタリック平衡ケーブルからなるディジタル回線１１1上に時分割方向制御された加入者線フレームを、送受信切替器３１を介して受信部３２で受信すると共に、送受信切替器３１を介して送信部３３から送信する。伝送路終端部２１は、この他に伝送遅延制御、等化処理、給電制御等を行う。
【００１３】
受信部３２で受信された受信フレームは、回線終端部２２の受信バッファ４１に格納されたのち、フレーム分解部４２でフレーム分解される。即ち、送受信される加入者線フレームは、例えば図３に示すように８ビットのフレームワード、８ビットのＣＬチャネル、１８ビット×２０ワードのデータ及びパリティビットの計３７７ビットから構成され、フレーム分解部４２は、このフレームからフレームワード、ＣＬチャネル等を抽出すると共にパリティチェックを行って、必要な２Ｂ＋Ｄのデータを抽出する。また、フレーム生成部４３では、これとは逆の処理によって加入者線フレームを生成し、送信バッファ４４を介して送信部３３に供給する。
【００１４】
Ｔ点送受信部２３は、フレーム分解部４２で抽出された２Ｂ＋Ｄのデータから図４（ａ）に示すようなＩＳＤＮユーザ・網インタフェースに適合するフォーマットの受信フレームを生成すると共に、同図（ｂ）に示すような送信すべき上記フォーマットの送信フレームからフレーム生成に必要なデータを生成してフレーム生成部４３に出力する。なお、Ｔ点送受信部２３は、図４（ａ）に示すように、同図（ｂ）の直流平衡ビットＬの一部にアクセス競合を避けるためのＤエコーチャネルビットＥを付加する処理、並びにＴ点の状態を監視したり、ＤＳＵの状態をＴ点側に出力する処理も行う。
【００１５】
一方、フレーム分解部４２で抽出されたデータ部分は、ＢチャネルＩ／Ｆ２４のＢチャネル抽出部５１でＢチャネルデータＢ１，Ｂ２のみが抽出され、出力バッファ５２に格納される。出力バッファ５２に格納されたＢチャネルデータＢ１，Ｂ２は、Ｂチャネル多重制御回路１４から供給される受信同期信号ＳＲ1で起動される出力同期部５３からの同期信号によってＢチャネル多重制御回路１４に出力される。また、Ｂチャネル多重制御回路１４から出力されたＢチャネルデータＢ１，Ｂ２は、送信同期信号ＳＴ1で起動される入力同期部５４からの同期信号によって入力バッファ５５に格納され、Ｂチャネル付加部５６によってフレーム生成部４３に供給される。
【００１６】
図５は、スレーブＤＳＵ１２i（ｉ＝２〜ｎ）の構成を示すブロック図である。
スレーブＤＳＵ１２iも、基本的にはマスタＤＳＵ１２1と同様の構成となっているが、スレーブＤＳＵ１２iでは、Ｔ点送受信部２３の代わりに擬似Ｔ点部２５を備えている点がマスタＤＳＵ１２1の構成とは異なっている。
擬似Ｔ点部２５は、ＤＳＵ１２iの状態を示す擬似Ｔ点情報である制御信号ＣＲiを出力すると共に、擬似的なＴ点の情報として発呼制御情報（INFO0〜INFO4等）、及び、Ｂチャネルの接続／切替制御ＣＴiを入力してＤＳＵ１２iを送信又は受信状態とするためのものである。
【００１７】
以上の説明から明らかなように、各ＤＳＵ１２1〜１２nは、ＢチャネルＩ／Ｆ２４を介してＢチャネルデータＢ１，Ｂ２を直接入出力することができる。また、特にマスタＤＳＵ１２1は、ＢチャネルデータをＢチャネルＩ／Ｆ２４を介して入出力することができるほか、Ｔ点モジュール１３を介して入出力することもできる。
【００１８】
このように構成されたディジタル回線接続システムでは、Ｂチャネル多重制御回路１４によって各ＤＳＵ１２1〜１２nと端末機器側との間のＢチャネルデータが時分割多重化される。その様子を示したのが図６である。
即ち、Ｂチャネル多重制御回路１４は、クロック信号ＣＬＫに同期してタイミングのずれた受信同期信号ＳＲ1〜ＳＲn，送信同期信号ＳＴ1〜ＳＴnを順番に出力する。これらの同期信号ＳＲ1〜ＳＲn，ＳＴ1〜ＳＴnがトリガとなって各ＤＳＵ１２1〜１２nのＢチャネルＩ／Ｆ２４の出力同期部５３及び入力同期部５４がそれぞれ出力バッファ５２及び入力バッファ５５の入出力同期信号を生成してＢチャネルデータＢ１，Ｂ２が各ＤＳＵ１２1〜１２nから順番に入出力されることになる。このように各ＤＳＵ１２1〜１２nのＢチャネルデータの入出力タイミングは競合しないので、共有配線を使用してＢチャネルデータを入出力することができる。Ｂチャネル多重データのスルーレートは、１２８ｋｂｐｓ×ｎ（回線数）に設定することにより、全体として回線データ伝送速度と整合をとることができる。
【００１９】
なお、以上の実施例では、ＴＣＭ方式のＤＳＵを例に挙げたが、この発明はエコーキャンセラＤＳＵ等にも適用可能である。
【００２０】
【発明の効果】
以上述べたように、この発明によれば、複数のＤＳＵのうちの１つをマスタユニット、その他のＤＳＵをスレーブユニットとし、マスタユニットにおける呼の制御に基づいて、スレーブユニットを擬似的に送受信状態にし、各ＤＳＵのＢチャネルインタフェースが受信データからＢチャネルデータのみを抽出し、送信データとしてＢチャネルデータを付加するようにしているので、スレーブユニットの分のＴ点モジュールが不要となり、システム構成を簡略化してコスト削減を図ることができるという効果を奏する。
【図面の簡単な説明】
【図１】  この発明の一実施例に係るディジタル回線接続システムの構成を示すブロック図である。
【図２】  同システムにおけるマスタＤＳＵの詳細ブロック図である。
【図３】  加入者線フレームのフォーマットを示す図である。
【図４】  ＩＳＮＤユーザ・網インタフェースに適合するフレームのフォーマットを示す図である。
【図５】  同システムにおけるスレーブＤＳＵの詳細ブロック図である。
【図６】  同システムにおけるＢチャネル多重化処理を説明するためのタイミングチャートである。
【図７】  従来のディジタル回線接続システムのブロック図である。
【符号の説明】
１1〜１n，１１1〜１１n…ディジタル回線、２1〜２n…ＤＳＵ、３1〜３n，１３…Ｔ点モジュール、４，１４…Ｂチャネル多重制御回路、１２1…マスタＤＳＵ、１２2〜１２n…スレーブＤＳＵ。
【図１】
0003772465.tif 000002
【図２】
0003772465.tif 000003
【図３】
0003772465.tif 000004
【図４】
0003772465.tif 000005
【図５】
0003772465.tif 000006
【図６】
0003772465.tif 000007
【図７】
0003772465.tif 000008